(57)【特許請求の範囲】
【請求項１】
容器の口筒部に取着され、キャップ本体と上蓋とからなるヒンジキャップにおいて、
キャップ本体は、容器口筒部に嵌着される係合筒部と注出筒と、係合筒部に連設され、上端外周の所定位置にヒンジを連設する外周筒部とからなり、
係合筒部は、上壁と内筒と外筒と蓋係合部とを具え、
外筒の外周と外周筒部の内周の間には、ヒンジの反対側に位置する下端を連設する連結片と、連結片の両側に延びる部分に連設する破断可能な弱化片とを設けるとともに、ヒンジの両側位置の近傍にそれぞれ破断可能なブリッジを設けていることを特徴とするヒンジキャップ。
【請求項２】
ヒンジが、弾性板をヒンジの両側に設けた三点ヒンジであって、
ブリッジが、ヒンジ両側の弾性板に対応する位置に設けられていることを特徴とする請求項１記載のヒンジキャップ。
【請求項３】
ヒンジが、弾性板を中央に設け、その両側にヒンジ部を設けた三点ヒンジであって、
ブリッジが、弾性板両側のヒンジ部に対応する位置に設けられていることを特徴とする請求項１記載のヒンジキャップ。
【請求項４】
ブリッジが、両側の弾性板、またはヒンジ部とほぼ同一の巾を有し、中心部より上方に設けられていることを特徴とする請求項２または３記載のヒンジキャップ。
【請求項５】
請求項２または３記載のヒンジにおいて、ブリッジに変え、ヒンジの両側の弾性板、または両側のヒンジ部のほぼ中央の位置に、中心部より上に延びる縦リブを設けていることを特徴するヒンジキャップ。
【請求項６】
縦リブの外筒側端部、または外周筒部側端部に弱化部が設けられていることを特徴とする請求項５記載のヒンジキャップ。
【発明の詳細な説明】
【技術分野】
【０００１】
本発明は、ヒンジキャップ、とくに、ヒンジに連設されたキャップの上蓋が動揺しないようにしたヒンジキャップに関するものである。
【背景技術】
【０００２】
打栓された容器本体の口筒部から、分別廃棄のために簡単に外すことができるようにしたヒンジキャップにおいて、容器口筒部に嵌着される係合筒部と、外周上部にヒンジを介して上蓋を連設する外周筒部とを具え、係合筒部の外筒と外周筒部の下端が、ヒンジの反対側に設けられた連結片と、間隔をおいて複数配設された破断可能な弱化片により連設されたキャップ本体と、上蓋とからなるヒンジキャップは、従来より知られている（例えば、特許文献１、特許文献２参照）。
【先行技術文献】
【特許文献】
【０００３】
【特許文献１】特開２００３−２４６３３８号公報
【特許文献２】特開２００９−２８６４７９号公報
【発明の概要】
【発明が解決しようとする課題】
【０００４】
しかしながら、上記特許文献１記載のヒンジキャップでは、キャップ本体のヒンジ側にスリットを設けており、上蓋の閉蓋時にヒンジの折曲げ点が動くので、その力により、スリットより外側の外周筒部の一部の上部が変形して上蓋がずれて、上蓋とキャップ本体との嵌合がうまくできず、斜めに閉まるという問題があった。
【０００５】
上記特許文献２記載のキャップは、上記問題点を解決するために、ヒンジの中心部に位置するように、係合筒部外筒と外周筒部との上端を接続する弱化連結部を設けたものであるが、弱化連結部は、ヒンジの一ヶ所のみであるから、上蓋のぐらつきを確実に阻止することではまだ不十分であるという問題が残されていた。
【０００６】
本発明は、上記問題を解決することを課題とし、上蓋の閉蓋時に、上蓋がずれることを完全に阻止し、上蓋とキャップ本体との嵌合を安定させるとともに、キャップと容器本体を、簡単に、分別廃棄できるようにしたヒンジキャップを提供することを目的とする。
【課題を解決するための手段】
【０００７】
本発明は、上記の課題を解決するため、ヒンジキャップとして、容器の口筒部に取着され、キャップ本体と上蓋とからなるヒンジキャップにおいて、キャップ本体は、容器口筒部に嵌着される係合筒部と注出筒と、係合筒部に連設され、上端外周の所定位置にヒンジを連設する外周筒部とからなり、係合筒部は、上壁と内筒と外筒と蓋係合部とを具え、外筒の外周と外周筒部の内周の間には、ヒンジの反対側に位置する下端を連設する連結片と、連結片の両側に延びる部分に連設する破断可能な弱化片とを設けるとともに、ヒンジの両側位置の近傍にそれぞれ破断可能なブリッジを設けていることを特徴とする構成を採用する。
【０００８】
ヒンジの実施例として、ヒンジが、弾性板をヒンジの両側に設けた三点ヒンジであって、ブリッジが、ヒンジ両側の弾性板に対応する位置に設けられていることを特徴とする構成、または、ヒンジが、弾性板を中央に設け、その両側にヒンジ部を設けた三点ヒンジであって、ブリッジが、弾性板両側のヒンジ部に対応する位置に設けられていることを特徴とする構成を採用する。
【０００９】
ブリッジの実施例として、ブリッジが、両側の弾性板、またはヒンジ部とほぼ同一の巾を有し、中心部より上方に設けられていることを特徴とする構成を採用し、ヒンジキャップの別実施例として、ブリッジに変え、ヒンジの両側の弾性板、または両側のヒンジ部のほぼ中央の位置に、中心部より上に延びる縦リブを設けていることを特徴する構成を採用し、縦リブの実施例として、縦リブの外筒側端部、または外周筒部側端部に弱化部が設けられていることを特徴とする構成を採用する。
【発明の効果】
【００１０】
容器の口筒部に取着され、キャップ本体と上蓋とからなるヒンジキャップにおいて、キャップ本体は、係合筒部外筒と、該外筒に連設され、上端外周の所定位置に三点ヒンジを連設する外周筒部とを具え、外筒の外周と外周筒部の内周の間には、ヒンジの反対側に位置する連結部と、連結部の両側に延びる部分の下端を連設する破断可能な弱化片とを設け、ヒンジの両側の弾性板に対応する位置にそれぞれ破断可能なブリッジ、または、縦リブを形成しているので、上蓋の開閉時に、ヒンジ側の外周筒部が変形して上蓋がずれることを阻止し、上蓋とキャップ本体との嵌合を安定させることができる。
【図面の簡単な説明】
【００１１】
【図１】本発明の第１実施例のヒンジキャップの断面立面図である。
【図２】ヒンジキャップの要部の説明図で、（ａ）は開蓋時の上面図、（ｂ）は要部の拡大上面図、（ｃ）は図（ｂ）のＡ−Ａ線における断面立面図である。
【図３】第２実施例のヒンジキャップの断面立面図である。
【図４】ヒンジキャップの要部の説明図で、（ａ）は開蓋時の上面図、（ｂ）は要部の拡大上面図、（ｃ）は図（ｂ）のＡ−Ａ線における断面立面図である。
【発明を実施するための形態】
【００１２】
次に、本発明のヒンジキャップについて、実施例をあげ、図面を参照して説明する。
【実施例１】
【００１３】
図１、２において、Ａは容器に打栓されるキャップ本体、Ｂはキャップ本体ＡにヒンジＣを介して一体成形された上蓋である。
容器は、口筒部１と胴部、底部からなり、口筒部１外周には、係合突条２が設けられている。
【００１４】
キャップ本体Ａは、係合筒部３と、該係合筒部３の内側に連設される注出筒４と、係合筒部３外周に一定の間隔をもって連設され、上端外周の所定位置にヒンジＣを連設する外周筒部５とからなっている。
【００１５】
係合筒部３は、リング状の上壁６と、内筒７と、外筒８、上壁６の上部に立設された上蓋Ｂと係合する蓋係合部９とからなっている。
外筒８の内周には、容器の口筒部１の係合突条２と係合する係合突条１０が設けられており、係合筒部３は、打栓時に、内筒７外周と外筒８内周により、容器の口筒部１を挟持するように、キャップ本体Ａを容器の口筒部１に装着されている。
【００１６】
内筒７の下端から内方に環状底壁１１が連設され、環状底壁１１の内縁には、注出筒４が立設されている。
【００１７】
注出筒４の内側下部には、隔壁１２が設けられており、隔壁１２には、注出口を開口するための薄肉の弱化部１３により区画された除去部１４が設けられ、該除去部１４には、プルリング１５が立設されている。
【００１８】
外筒８の下端外周と外周筒部５の下端内周は、外周筒部５のヒンジＣの反対側に設けられた連結片１６と、ヒンジＣ側に、間隔をおいて複数配設された破断可能な弱化片１７とを介して連設されている。
【００１９】
蓋係合部９の外周には、外筒８外周より縮径された縮径部１８と、その上端部に縮径部１８より拡径された膨出部１９とが形成されている。
【００２０】
ヒンジＣは、図２に示すように、三点ヒンジであって、中央のヒンジ部２０とその両側の弾性板２１ａ，ｂとを具え、外周筒部５に連設されており、弾性板２１の位置に対応して係合筒部３の外筒８外周と、外周筒部５との間には、中央より上方に弾性板２１の巾を有するブリッジ２２が設けられている。
【００２１】
上蓋Ｂは、頂壁２５と、頂壁２５の周縁に垂設された外周壁２６とを具えており、頂壁２５下面には、キャップ本体Ａの注出筒４の内周に挿入される密封リング２７が垂設されている。
【００２２】
外周壁２６の外周下端の所定の位置に中央のヒンジ部２０と弾性板２１ａ，ｂが連設され、ヒンジＣの反対側には、つまみ２８が突設されている。
外周壁２６の内周下端は拡径され、キャップ本体Ａの係合筒部３の蓋係合部９と係合する係合部２９が設けられている。
【００２３】
次に、本発明のヒンジキャップの作用効果について説明する。
内容液の注出にあたっては、キャップ本体Ａの隔壁１２のプルリング１５を引張り、抜栓した後、内容液をキャップ本体Ａの隔壁１２の開口から、注出筒４を介して注出する。
【００２４】
上蓋Ｂの閉蓋にあたっては、上蓋ＢをヒンジＣを介して廻動させ、キャップ本体Ａの蓋係合部９と上蓋Ｂの係合部２９とを係合させ、上蓋Ｂをキャップ本体Ａに閉蓋する。
【００２５】
本発明のヒンジキャップは、キャップ本体Ａの外筒８の外周と外周筒部５の内周の間にヒンジＣの二つの弾性板２１ａ、ｂに対応する位置に一定巾のブリッジ２２が設けられているので、上蓋Ｂを開閉する際に、ヒンジＣを介して外周筒部５が外側に引張られても、ブリッジ２２の連結により外周筒部５のヒンジＣ側が外筒８に対して外側に変形することを防止することができる。
【００２６】
また、逆に、ヒンジＣを介して外周筒部５が内側に引張られても、ブリッジ２２により外周筒部５のヒンジＣ側が内側に変形することを防止することができる。
また、外周筒部５がずれたり、がたついたりして、弱化片１７が無理に変形して切断されることも防止することができる。
【００２７】
外周筒部５の二つのブリッジ２２が、外筒８に対して外側または内側に変形することを防止することにより、上蓋Ｂがずれ、上蓋Ｂとキャップ本体Ａとの係合を阻害することを防止することができ、上蓋Ｂとキャップ本体Ａとの係合を安定させることができる。
【００２８】
容器を廃棄する際には、上蓋Ｂを開蓋し、上蓋Ｂを引張り上げると、ヒンジＣを介してキャップ本体Ａの外周筒部５を上昇させ、まず、外周筒部５と係合筒部３の外筒８との間のブリッジ２２を切断し、下端部に設けた弱化片１７を順次切断していき、最後は、外周筒部５と外筒８との間は、連結片１６のみで連結されることとなる。
【００２９】
さらに、外周筒部５を上昇させると、連結片１６を介して係合筒部３の外筒８が引張られ、外筒８が変形し、キャップ本体Ａと容器の口筒部１との係合を外して、簡単にヒンジキャップを容器から外して、分別廃棄することができる。
【実施例２】
【００３０】
次に、第１実施例のキャップ本体のブリッジに変え、縦リブを設けた第２実施例について説明する。
本実施例の第１実施例と同一の構成部分には、同一の符号を付して図示して詳しい説明を省略し、係合筒部と外周筒部の相違点を中心に説明する。
【００３１】
図３、４において、Ａａは容器に打栓されるキャップ本体、Ｂはキャップ本体ＡａにヒンジＣを介して一体成形された上蓋である。
【００３２】
キャップ本体Ａａは、係合筒部３ａと外周筒部５ａとを具えており、係合筒部３ａの外筒８ａと外周筒部５ａとの間は、ヒンジＣの弾性板２１に対応する位置に、中心部より上に延びる縦リブ３０を設けて連設されている。
【００３３】
縦リブ３０の内側、また外側に弱化部３１が設けられ、分別時は、上蓋を引きあげると、縦リブ３０は弱化部３１より裂け、分別が容易となる。
その他には、第１実施例と同様の作用効果を得ることができる。
【００３４】
前記各実施例では、ヒンジとして弾性板を両側に設けた三点ヒンジを用いたが、弾性板を中央部に設け、両側にヒンジ部を設けたヒンジ、または、弾性板を設けないで、ヒンジ部のみを有するヒンジを用いることもできる。
その場合には、ブリッジ、または縦リブの位置は、上蓋の開閉にあたって上蓋の位置がずれないようにできればよいので、実施例に限定されず、ヒンジの両側位置の近傍にある弾性板、または両側のヒンジ部、或いはヒンジの両側近傍であればよい。
【産業上の利用可能性】
【００３５】
本発明は、ヒンジキャップにおいて、上蓋の係合、開閉を安定して行うことができるとともに、上蓋を引張ることによって、簡単にヒンジキャップを容器口部から取外して分別廃棄することができるので、各種の内容液の容器の分別廃棄可能のヒンジキャップとして、広く利用することができる。
【符号の説明】
【００３６】
Ａ、Ａａ    キャップ本体
Ｂ          上蓋
Ｃ          ヒンジ
１          口筒部
２          係合突条
３、３ａ    係合筒部
４          注出筒
５、５ａ    外周筒部
６          上壁
７          内筒
８、８ａ    外筒
９          蓋係合部
１０        係合突条
１１        環状底壁
１２        隔壁
１３        弱化部
１４        除去部
１５        プルリング
１６        連結片
１７        弱化片
１８        縮径部
１９        膨出部
２０        ヒンジ部
２１ａ，ｂ  弾性板
２２        ブリッジ
２３        リブ部
２５        頂壁
２６        外周壁
２７        密封リング
２８        つまみ
２９        係合部
３０        縦リブ
３１        弱化部
【図１】
0005485019.tif 000002
【図２】
0005485019.tif 000003
【図３】
0005485019.tif 000004
【図４】
0005485019.tif 000005